(57)【要約】【課題】ユーザに与える違和感を軽減する字幕音声を生成することが可能となる字幕音声生成装置を提供する。【解決手段】入力される音声データに基づき、人物の話し方の状態を解析する音声解析部と、前記音声データに対応する字幕データと前記音声解析部による解析結果に基づき、合成音声である字幕音声を生成する合成音声生成部と、を備える字幕音声生成装置とする。【選択図】図１
2015018079.tif 000002
【特許請求の範囲】
【請求項１】
入力される音声データに基づき、人物の話し方の状態を解析する音声解析部と、
前記音声データに対応する字幕データと前記音声解析部による解析結果に基づき、合成音声である字幕音声を生成する合成音声生成部と、
を備える字幕音声生成装置。
【請求項２】
前記人物の話し方の状態は、声のスピード及び／又は声の強弱であることを特徴とする請求項１に記載の字幕音声生成装置。
【請求項３】
前記音声解析部は、前記音声データに基づき複数の人物を検出し、
前記合成音声生成部は、予め記憶部上に格納されて準備された複数の合成音声パターンから前記検出された複数の人物の各人に前記合成音声パターンを割り当てて前記字幕音声を生成することを特徴とする請求項１又は請求項２に記載の字幕音声生成装置。
【請求項４】
前記合成音声生成部は、番組情報に基づき前記複数の合成音声パターンを予め前記記憶部上に格納させて準備することを特徴とする請求項３に記載の字幕音声生成装置。
【請求項５】
前記複数の合成音声パターンは、性別ごとに複数準備された声質の異なる合成音声パターンであることを特徴とする請求項３又は請求項４に記載の字幕音声生成装置。
【請求項６】
前記合成音声生成部は、音声が無いことを検出したとき、又は映像に人物が映っていないことを検出したとき、前記字幕データに基づき単調な前記字幕音声を生成することを特徴とする請求項１〜請求項５のいずれか１項に記載の字幕音声生成装置。
【請求項７】
前記音声データに基づく音声を内蔵スピーカから発生させると共に、前記字幕音声に基づく音声を外部出力端子から出力させることを特徴とする請求項１〜請求項６のいずれか１項に記載の字幕音声生成装置。
【請求項８】
前記音声データに基づく音声を内蔵スピーカから発生させると共に、前記字幕音声を無線信号を用いて外部のモバイル機器に送信させることを特徴とする請求項１〜請求項６のいずれか１項に記載の字幕音声生成装置。
【発明の詳細な説明】
【技術分野】
【０００１】
本発明は、字幕音声を生成する装置に関する。
【背景技術】
【０００２】
従来、放送信号等に含まれる字幕の文字列を音声合成し、字幕音声を生成する字幕音声生成装置が知られている。
【０００３】
例えば、特許文献１には、映像信号から字幕部分を抽出し、抽出された字幕部分に含まれる文字列を文字認識し、文字認識された字幕の文字列を音声合成し、字幕音声をスピーカから出力させる字幕抽出装置が開示されている。
【０００４】
この字幕抽出装置では、入力される音声信号から音質の特徴を分析し、この音質に最も近い音質を音声データベースから選択し音声合成する。例えば、外国映画で日本語の字幕が表示されるときに出力される音声が女優の声である場合、その声の音質の特徴から女性の音質で音声合成が行われる。
【０００５】
これにより、無機質になりがちな音声合成された音声に、多少なりとも個性を持たせることができるとしている。
【先行技術文献】
【特許文献】
【０００６】
【特許文献１】特開２００３−３３３４４５号公報（第５頁）
【発明の概要】
【発明が解決しようとする課題】
【０００７】
しかしながら、映画等で人物は話すスピードや声の強弱などを変えながら話すのが通常であるが、上記特許文献１では音声合成の際にこの点が考慮されておらず、字幕音声を聞く視聴者にとって違和感が生じる。
【０００８】
上記問題点に鑑み、本発明は、ユーザに与える違和感を軽減する字幕音声を生成することが可能となる字幕音声生成装置を提供することを目的とする。
【課題を解決するための手段】
【０００９】
上記目的を達成するために本発明の字幕音声生成装置は、入力される音声データに基づき、人物の話し方の状態を解析する音声解析部と、前記音声データに対応する字幕データと前記音声解析部による解析結果に基づき、合成音声である字幕音声を生成する合成音声生成部と、を備える構成としている。
【００１０】
このような構成によれば、人物の話し方の状態を字幕音声に反映させることができるので、ユーザに与える違和感を軽減する字幕音声を生成することができる。
【００１１】
また、上記構成において、前記人物の話し方の状態は、声のスピード及び／又は声の強弱であることとしてもよい。
【００１２】
このような構成によれば、声のスピード及び／又は声の強弱を字幕音声に反映させることができる。特に、声のスピードを字幕音声に反映させると、映像における人物の口の動きと字幕音声とのずれを抑えることができ、映像を見ているユーザにとって違和感を抑えることができる。
【００１３】
また、上記いずれかの構成において、前記音声解析部は、前記音声データに基づき複数の人物を検出し、前記合成音声生成部は、予め記憶部上に格納されて準備された複数の合成音声パターンから前記検出された複数の人物の各人に前記合成音声パターンを割り当てて前記字幕音声を生成することとしてもよい。
【００１４】
このような構成によれば、複数の人物が登場する場合に、複数の人物が話しているかのような字幕音声を生成でき、ユーザにとってより違和感を抑えることができる。また、予め準備された複数の合成音声パターンを割り当てるので、字幕音声を速く生成することができる。
【００１５】
また、上記構成において、前記合成音声生成部は、番組情報に基づき前記複数の合成音声パターンを予め前記記憶部上に格納させて準備することとしてもよい。
【００１６】
このような構成によれば、複数の合成音声パターンを番組に応じて必要なだけ準備することができ、必要以上に準備することを抑えることができる。
【００１７】
また、前記複数の合成音声パターンは、性別ごとに複数準備された声質の異なる合成音声パターンであることとしてもよい。
【００１８】
このような構成によれば、複数の性別の異なる人物が登場する場合に、複数の性別の異なる人物が話しているかのような字幕音声を生成することができる。
【００１９】
また、上記いずれかの構成において、前記合成音声生成部は、音声が無いことを検出したとき、又は映像に人物が映っていないことを検出したとき、前記字幕データに基づき単調な前記字幕音声を生成することとしてもよい。
【００２０】
このような構成によれば、音声が無い場合、又は映像に人物が映っていない場合に、ナレーションのような字幕音声を生成することができる。
【００２１】
また、上記いずれかの構成において、前記音声データに基づく音声を内蔵スピーカから発生させると共に、前記字幕音声に基づく音声を外部出力端子から出力させることとしてもよい。
【００２２】
このような構成によれば、例えば外国語で音声を聞きたいユーザは内蔵スピーカから音声を聞き、自国語で音声を聞きたいユーザは外部出力端子から出力される字幕音声を聞くことができる。
【００２３】
また、上記いずれかの構成において、前記音声データに基づく音声を内蔵スピーカから発生させると共に、前記字幕音声を無線信号を用いて外部のモバイル機器に送信させることとしてもよい。
【００２４】
このような構成によれば、例えば外国語で音声を聞きたいユーザは内蔵スピーカから音声を聞き、自国語で音声を聞きたいユーザは手元のモバイル機器から出力される字幕音声を聞くことができる。
【発明の効果】
【００２５】
本発明によると、ユーザに与える違和感を軽減する字幕音声を生成することが可能となる。
【図面の簡単な説明】
【００２６】
【図１】本発明の第１実施形態に係るテレビ装置の概略構成を示すブロック図である。
【図２】本発明の実施形態に係る音声解析処理に関するフローチャートである。
【図３】本発明の実施形態に係る複数の合成音声パターンの一例を示す図である。
【図４】本発明の第２実施形態に係るテレビ装置の概略構成を示すブロック図である。
【図５】本発明の第３実施形態に係るテレビ装置の概略構成を示すブロック図である。
【図６】本発明の第４実施形態に係るテレビ装置の概略構成を示すブロック図である。
【発明を実施するための形態】
【００２７】
＜第１実施形態＞
以下に本発明の一実施形態について図面を参照して説明する。以下では、字幕音声生成装置として、テレビ装置を一例に挙げて説明する。本発明の第１実施形態に係るテレビ装置の概略構成を示すブロック図を図１に示す。図１に示すテレビ装置１は、チューナ１１と、復調部１２と、分離部１３と、映像デコーダ１４と、データデコーダ１５と、音声デコーダ１６と、映像出力部１７と、表示部１８と、ＯＳＤ（オンスクリーンディスプレイ）部１９と、音声解析部２０と、合成音声生成部２１と、音声出力部２２と、スピーカ２３を備えている。チューナ１１には、アンテナ２が接続される。
【００２８】
チューナ１１は、例えば、地上デジタル放送、ＢＳデジタル放送、ＣＳデジタル放送の少なくともいずれかに対応するものであり、アンテナ２から入力された高周波の放送信号から所望のチャンネルの放送信号を選局する。
【００２９】
復調部１２は、チューナ１１において選局されたチャンネルの放送信号に対してデジタル復調及び誤り訂正などの処理を行い、トランスポートストリームを生成し、分離部１３へ出力する。
【００３０】
分離部（デマルチプレクサ）１３は、復調部１２から入力されるトランスポートストリームを映像ストリーム、音声ストリーム、字幕データ等に分離する。
【００３１】
映像デコーダ１４は、分離部１３から入力される映像ストリームに対してデコードを行い、生成された映像データを映像出力部１７に出力する。
【００３２】
データデコーダ１５は、分離部１３から入力される字幕データに対してデコードを行い、生成された字幕テキストデータをＯＳＤ部１９へ出力する。
【００３３】
ＯＳＤ部１９は、メニュー表示などのオンスクリーンディスプレイ用の表示データを生成し、映像出力部１７に出力する。また、ＯＳＤ部１９は、データデコーダ１５から入力される字幕テキストデータに基づき字幕表示データを生成することも可能であり、字幕表示データを映像出力部１７に出力する。
【００３４】
映像出力部１７は、映像デコーダ１４から入力される映像データにＯＳＤ部１９から入力される表示データを重畳し、重畳後の映像データを表示部１８に適した映像信号に変換し、表示部１８に出力する。なお、重畳せずに映像デコーダ１４から入力される映像データか、ＯＳＤ部１９から入力される表示データのいずれかのみを映像信号に変換して表示部１８に出力する場合もある。
【００３５】
表示部１８は、例えば液晶ディスプレイであり、映像出力部１７から入力される映像信号に基づき映像を表示する。これにより、字幕を含んだ放送番組の映像や、メニュー画面などの各種映像が表示部１８に表示される。
【００３６】
音声デコーダ１６は、分離部１３から入力される音声ストリームに対してデコードを行い、生成された音声データを音声出力部２２へ出力する。音声出力部２２は、音声デコーダ１６から入力される音声データをスピーカ２３に適した音声信号に変換し、スピーカ２３へ出力する。スピーカ２３は、音声出力部２２から入力される音声信号に基づき音声を発生させる。これにより、スピーカ２３から放送番組の音声が発生する。
【００３７】
また、音声デコーダ１６は、生成された音声データを音声解析部２０へ出力することも可能である。音声解析部２０は、音声デコーダ１６から入力される音声データを解析し、その解析結果を音声合成部２１へ通知する。
【００３８】
合成音声生成部２１は、データデコーダ１５から入力される字幕テキストデータと、音声解析部２０から通知された音声の解析結果に基づき合成音声である字幕音声データを生成し音声出力部２２へ出力する。この場合、音声出力部２２は、合成音声生成部２１から入力される字幕音声データをスピーカ２３に適した音声信号に変換してスピーカ２３に出力する。これにより、スピーカ２３から字幕音声が発生する。
【００３９】
次に、本実施形態に係るテレビ装置１における字幕音声出力動作について、より詳細に説明する。
【００４０】
例えば、或る放送番組の音声が英語によるもののみであり、字幕は日本語と英語によるものであるとする。この場合、通常モードとしては、映像デコーダ１４から出力される映像データに、データデコーダ１５から出力される日本語による字幕テキストデータ（字幕テキストデータの言語は選択可能）に基づきＯＳＤ部１９から出力される字幕表示データが映像出力部１７で重畳され、表示部１８に日本語字幕を含んだ放送映像が表示される（なお、字幕を表示させない選択も可能である）。この通常モードの場合、音声デコーダ１６から英語による音声データが音声出力部２２に出力され、スピーカ２３からは英語による放送音声が発生する。
【００４１】
英語による音声で放送を視聴したい場合は、上記通常モードで視聴すればよいが、日本語による音声で視聴したい場合は、下記で説明する字幕音声出力モードに移行する。字幕音声出力モードへの移行は、例えば、リモコン装置（不図示）による操作に応じてテレビ装置１の制御部（不図示）が行う。字幕音声出力モードに移行すると、音声デコーダ１６は、音声データを音声出力部２２には出力せず、音声解析部２０のみに出力する。これにより、放送信号の音声データによる音声（上記の場合であれば英語による音声）はスピーカ２３から出力されない。なお、字幕音声出力モードでは、映像表示に関しては上記通常モードと同様である。
【００４２】
ここで、音声解析部２０による解析処理に関して、図２に示すフローチャートを用いて説明する。なお、音声解析部２０には不図示のバッファが備えられ、音声デコーダ１６から入力されて上記バッファに蓄えられた音声データに対して音声解析部２０は解析を行う。また、図２の処理は繰り返し行われる。
【００４３】
図２に示すフローチャートが開始されると、まずステップＳ１で、音声解析部２０は、解析対象の音声データから例えば音声の周波数特徴などの音声特徴を取得する。
【００４４】
次に、ステップＳ２で、音声解析部２０は、ステップＳ１で取得された音声特徴が過去に取得された音声特徴と一致するか否かを判定する。
【００４５】
もしステップＳ２で音声特徴が一致しない場合は（ステップＳ２のＮ）、ステップＳ３へ進み、音声解析部２０は、解析対象の音声データに基づき男性の声であるか女性の声であるかの判別を行う。
【００４６】
ステップＳ３の後、ステップＳ４で、音声解析部２０は、解析対象の音声データに基づき声のスピード、及び声の強弱を検出する。
【００４７】
そして、ステップＳ５で、音声解析部２０は、男性または女性の新たに検出された人物をステップＳ１で取得された音声特徴に対応付けて登録する。ここでは、ステップＳ３で判別された性別の結果に応じて登録することとなる。例えば、男性の声と判別された場合は、登録順に男性Ａ、Ｂ、Ｃ・・・など、女性の声と判別された場合は、登録順に女性Ａ、Ｂ、Ｃ・・・などと登録する。なお、ステップＳ２で判定するための過去に取得した音声特徴とは、ここで登録された音声特徴のことである。
【００４８】
そして、ステップＳ６で、音声解析部２０は、ステップＳ５で新たに登録された人物、及びステップＳ４で検出された声のスピード及び強弱を合成音声生成部２１に通知する。
【００４９】
また、ステップＳ２で、音声特徴が一致した場合は（ステップＳ２のＹ）、ステップＳ７へ進み、音声解析部２０は、解析対象の音声データに基づき声のスピード、及び声の強弱を検出する。そして、ステップＳ８で、音声解析部２０は、ステップＳ１で取得された音声特徴と一致した音声特徴に対応する人物（即ち過去に検出された人物）、及びステップＳ７で検出された声のスピード及び強弱を合成音声生成部２１に通知する。
【００５０】
ステップＳ６またはステップＳ８の後、処理は完了となる（エンド）。
【００５１】
そして、合成音声生成部２１は、ステップＳ６またはステップＳ８で音声解析部２０から通知された解析結果と、データデコーダ１５から入力される字幕テキストデータに基づき、合成音声である字幕音声データを生成する。
【００５２】
より具体的には、合成音声生成部２１は、例えば図３に示すように、男女別に声質の異なる複数の合成音声パターンを予め記憶部（不図示）上に格納して準備しておき、音声解析部２０から通知された人物に応じた合成音声パターンを選択し、字幕音声データの生成に使用する。例えば、音声解析部２０から通知された人物が「男性Ｃ」であれば、図３の「男声Ｃ」の合成音声パターンを選択する等である。
【００５３】
そして、音声出力部２２が合成音声生成部２１から入力される字幕音声データをスピーカ２３に適した音声信号に変換することで、スピーカ２３から字幕音声が発生する。
【００５４】
このように本実施形態では、テレビ装置１（字幕音声生成装置）は、音声デコーダ１６から入力される音声データに基づき、声のスピード及び強弱（人物の話し方の状態）を解析する音声解析部２０と、上記音声データに対応する字幕テキストデータと音声解析部２０による解析結果に基づき、合成音声である字幕音声を生成する合成音声生成部２１を備える構成としている。
【００５５】
これにより、声のスピード及び強弱（人物の話し方の状態）を字幕音声に反映させることができるので、ユーザに与える違和感を軽減する字幕音声を生成することができる。
【００５６】
特に、声のスピードを字幕音声に反映させると、映像における人物の口の動きと字幕音声とのずれを抑えることができ、映像を見ているユーザに与える違和感を抑えることができる。
【００５７】
また、音声解析部２０は、上記音声データに基づき複数の人物を検出し（図２の処理）、合成音声生成部２１は、予め記憶部上に格納されて準備された複数の合成音声パターン（例えば図３）から上記検出された複数の人物の各人に合成音声パターンを割り当てて字幕音声を生成する。
【００５８】
これにより、複数の人物が登場する場合に、複数の人物が話しているかのような字幕音声を生成でき、ユーザに与える違和感をより抑えることができる。また、予め準備された複数の合成音声パターンを割り当てるので、字幕音声を速く生成することができる。
【００５９】
また、例えば図３のように、上記複数の合成音声パターンは、性別ごとに複数準備された声質の異なる合成音声パターンであることとしてもよい。
【００６０】
これにより、複数の性別の異なる人物が登場する場合に、複数の性別の異なる人物が話しているかのような字幕音声を生成することができる。
【００６１】
＜第２実施形態＞
次に、本発明の第２実施形態について説明する。本発明の第２実施形態に係るテレビ装置の概略構成を示すブロック図を図４に示す。以下、図４に示すテレビ装置１’の上記第１実施形態（図１）との相違点について主に述べる。
【００６２】
図４に示すテレビ装置１’ は、ネットワークインタフェース２４を備えている。ネットワークインタフェース２４は、インターネット３に接続可能であり、インターネット３を介してサーバ装置４と通信を行う。
【００６３】
データデコーダ１５’は、第１実施形態のように字幕テキストデータを合成音声生成部２１’へ出力する。それと共にデータデコーダ１５’は、分離部１３でトランスポートストリームから分離されるＳＩ（Service Information）に対してデコードを行い、デコード後のＳＩに含まれるＥＰＧ（Electronic Program Guide）情報を合成音声生成部２１’へ出力する。
【００６４】
合成音声生成部２１’は、入力されたＥＰＧ情報に含まれる例えば番組詳細情報をネットワークインタフェース２４を用いてインターネット３を介してサーバ装置４へ送る。
【００６５】
ここで、サーバ装置４には、人物名と性別が対応付けられたデータベースを有している。そして、サーバ装置４は、受け取った番組詳細情報に含まれる番組出演者を上記データベースを用いて検索し、性別ごとの出演者の人数を検出する（例えば、男性１０人、女性８人など）。そして、サーバ装置４は、この検出結果をインターネット３及びネットワークインタフェース２４を介して合成音声生成部２１’に送る。
【００６６】
合成音声生成部２１’は、受け取った検出結果に応じて、性別ごとのパターン数の合成音声パターンを予め記憶部（不図示）上に格納させて準備しておく（例えば、検出結果が男性１０人、女性８人であれば、図３に示す合成音声パターンを男性は１０パターン、女性は８パターン準備するなど）。
【００６７】
そして、合成音声生成部２１’は、音声解析部２０から通知された人物に応じて上記準備された合成音声パターンを選択し、字幕音声データの生成に使用する。
【００６８】
このように本実施形態によれば、合成音声生成部２１’は、ＥＰＧ情報（番組情報）に基づき複数の合成音声パターンを予め準備することとしている。これにより、複数の合成音声パターンを番組に応じて必要なだけ準備することができ、必要以上に準備することを抑えることができる。
【００６９】
＜第３実施形態＞
次に、本発明の第３実施形態について説明する。本発明の第３実施形態に係るテレビ装置の概略構成を示すブロック図を図５に示す。
【００７０】
図５に示すテレビ装置１’ ’の上記第１実施形態（図１）との相違点は、音声の出力形態である。
【００７１】
図５に示すテレビ装置１’は、音声出力部２５と、外部出力端子２６と、音声出力部２７と、スピーカ２８を備えている。外部出力端子２６には、ヘッドホン５の端子が脱着可能である。
【００７２】
上記第１実施形態（図１）では、字幕音声出力モードに移行すると、音声デコーダ１６は音声出力部２２に音声データを出力せず、字幕音声のみがスピーカ２３から出力されたが、本実施形態では、字幕音声出力モードに移行すると、音声デコーダ１６は音声解析部２０に加え音声出力部２７にも音声データを出力する。
【００７３】
これにより、合成音声生成部２１は、合成音声である字幕音声を生成して音声出力部２５に出力する。そして、音声出力部２５は、外部出力端子２６を介して、外部出力端子２６に接続されたヘッドホン５に字幕音声の音声信号を出力する。従って、ヘッドホン５からは字幕音声が発生する。
【００７４】
それと共に、音声出力部２７は、音声デコーダ１６から入力される音声データをスピーカ２８に適した音声信号に変換し、スピーカ２８に出力する。これにより、スピーカ２８からは放送番組の音声が発生する。
【００７５】
このような本実施形態によれば、テレビ装置１’ ’のスピーカ２８から放送番組の音声（例えば英語による音声）が発生すると共に、ヘッドホン５から字幕音声（例えば日本語による音声）が発生する。従って、外国語学習をしたいなどで放送番組の音声で聞きたいユーザはスピーカ２８からの音声を聞き、字幕音声を聞きたいユーザはヘッドホン５から発生する音声を聞くことができる。
【００７６】
ヘッドホン５で字幕音声を聞けば、ヘッドホンを使用しているユーザにとってはスピーカ２８からの音声が聞こえることを抑制すると共に、スピーカ２８からの音声を聞いているユーザにとっては字幕音声が聞こえることを抑制できる。
【００７７】
また、放送番組の音声の言語が理解できない目の不自由なユーザであっても、ヘッドホン５から発生する字幕音声を聞くことで、放送を鑑賞することができる。
【００７８】
なお、本実施形態において、上記第２実施形態のようにインターネット接続可能な構成（図４）を適用することも可能である。
【００７９】
＜第４実施形態＞
次に、本発明の第４実施形態について説明する。本発明の第４実施形態に係るテレビ装置１’ ’ ’の概略構成を示すブロック図を図６に示す。
【００８０】
図６に示すテレビ装置１’ ’ ’の上記第３実施形態（図５）との相違点は、無線通信部３０を備えていることである。
【００８１】
本実施形態では、字幕音声出力モードにおいては、上記第３実施形態と同様に合成生成部２１から字幕音声データが音声出力部２９に出力されると共に、音声出力部２７からスピーカ２８へ音声信号が出力される。音声出力部２９は、入力される字幕音声データを無線通信部３０に出力する。
【００８２】
無線通信部３０は、例えばBluetoothやWi-Fiなどの規格に対応してモバイル機器６と無線通信を行う。モバイル機器６は、例えばスマートフォンや携帯電話などである。
【００８３】
無線通信部３０は、音声出力部２９から入力された音声データを対応する規格に準じた無線信号によりモバイル機器６へ送信する。これにより、モバイル機器６が有する内蔵スピーカから字幕音声が発生する。
【００８４】
このような本実施形態によれば、テレビ装置１’ ’ ’のスピーカ２８から放送番組の音声（例えば英語による音声）が発生すると共に、モバイル機器６から字幕音声（例えば日本語による音声）が発生する。従って、外国語学習をしたいなどで放送番組の音声で聞きたいユーザはスピーカ２８からの音声を聞き、字幕音声を聞きたいユーザは手元のモバイル機器６の内蔵スピーカから発生する音声を聞くことができる。特に、テレビ装置１’ ’ ’の設置された部屋と別の部屋においてモバイル機器６から字幕音声を聞くこともできる。
【００８５】
また、放送番組の音声の言語が理解できない目の不自由なユーザであっても、手元のモバイル機器６から発生する字幕音声を聞くことで、放送を鑑賞することができる。また、モバイル機器６に接続されたヘッドホンで音声を聞けば、ヘッドホンを使用しているユーザにとってはスピーカ２８からの音声が聞こえることを抑制すると共に、スピーカ２８からの音声を聞いているユーザにとっては字幕音声が聞こえることを抑制できる。
【００８６】
なお、モバイル機器６は、例えばBluetoothに対応したスピーカ装置のようなものであってもよい。
【００８７】
また、本実施形態において、上記第２実施形態のようにインターネット接続可能な構成（図４）を適用することも可能である。
【００８８】
＜第５実施形態＞
上記第１実施形態〜第４実施形態において、合成音声生成部２１（または２１’）は更に以下のような構成を採ってもよい。
【００８９】
合成音声生成部２１は、音声デコーダ１６が出力する音声データに基づき音声が無いことを検出した場合、ナレーションであると判断し、声のスピード及び強弱は一定として字幕テキストデータから合成音声を生成する。この際、合成音声パターンは男性または女性の所定のパターンを使用する。
【００９０】
または、合成音声生成部２１は、映像デコーダ１４が出力する映像データに基づき映像に人物が映っていないことを検出した場合に、上記のようにナレーションと判断してもよい。
【００９１】
このような本実施形態によれば、ナレーションと判断した場合は、単調な字幕音声が発生することとなり、ユーザはあたかもナレーションであると思わせる字幕音声を聞くことができる。
【００９２】
以上、本発明の実施形態について説明したが、本発明の趣旨の範囲内であれば、実施形態は種々の変更が可能である。
【００９３】
例えば、本発明は、放送信号を受信できるものであれば、テレビ装置に限らず、例えばハードディスクレコーダ、光ディスクレコーダやセットトップボックスなどに適用しても構わない。また、映像音声及び字幕は、放送信号に限らず、再生信号に基づくものでも構わない。
【符号の説明】
【００９４】
１  テレビ装置
２  アンテナ
３  インターネット
４  サーバ装置
５  ヘッドホン
６  モバイル機器
１１  チューナ
１２  復調部
１３  分離部
１４  映像デコーダ
１５  データデコーダ
１６  音声デコーダ
１７  映像出力部
１８  表示部
１９  ＯＳＤ部
２０  音声解析部
２１  合成音声生成部
２２  音声出力部
２３  スピーカ
２４  ネットワークインタフェース
２５  音声出力部
２６  外部出力端子
２７  音声出力部
２８  スピーカ
２９  音声出力部
３０  無線通信部
【図１】
2015018079.tif 000003
【図２】
2015018079.tif 000004
【図３】
2015018079.tif 000005
【図４】
2015018079.tif 000006
【図５】
2015018079.tif 000007
【図６】
2015018079.tif 000008